(57)【要約】【課題】２本が点溶接により軸方向に継ぎ足された既設の吊りボルトの耐震性を、容易に高めることができる吊りボルトの補強方法及び吊りボルトの補強構造を提供する。【解決手段】  天井パネル９を支持する吊りボルト１は、第１軸部材２と第２軸部材３の２本で構成され、この第１軸部材２と第２軸部材３は、軸方向において一部が重なるとともに、点溶接５により接合された既設の吊りボルトであって、第１軸部材２と第２軸部材３の重なり部４で、かつ、吊りボルト１の軸方向における点溶接５部の両側部に、夫々、連結部材１０，１０を取付けて、第１軸部材２と第２軸部材３を連結させ、点溶接５部を中心として、第１軸部材２と第２軸部材３が、相互にねじれることを抑制するようにした。【選択図】図１
2019027205.tif 000002
【特許請求の範囲】
【請求項１】
天井パネルを支持する吊りボルトは、第１軸部材と第２軸部材の２本で構成され、この第１軸部材と第２軸部材は、軸方向において一部が重なるとともに、点溶接により接合された既設の吊りボルトであって、
前記第１軸部材と第２軸部材の重なり部で、かつ、吊りボルトの軸方向における点溶接部の両側部において、夫々、連結部材を取付けて、第１軸部材と第２軸部材を連結し、
前記点溶接部を中心として、前記第１軸部材と第２軸部材が、相互にねじれることを抑制するようにしたことを特徴とする吊りボルトの補強方法。
【請求項２】
前記連結部材は、ワイヤークリップであることを特徴とする請求項１記載の吊りボルトの補強方法。
【請求項３】
天井パネルを支持する吊りボルトは、第１軸部材と第２軸部材の２本で構成され、この第１軸部材と第２軸部材は、軸方向において一部が重なるとともに、点溶接により接合された既設の吊りボルトであって、
前記第１軸部材と第２軸部材の重なり部で、かつ、吊りボルトの軸方向における点溶接部の両側部において、夫々、第１軸部材と第２軸部材を連結部材により連結し、
前記点溶接部を中心として、前記第１軸部材と第２軸部材が、相互にねじれることを抑制するようにしたことを特徴とする吊りボルトの補強構造。
【発明の詳細な説明】
【技術分野】
【０００１】
本発明は、天井パネルを支持する吊りボルトの補強方法及び吊りボルトの補強構造に関するものである。
【背景技術】
【０００２】
建物の構造材から垂下した吊りボルトに支持された天井パネルを有する室内を改装する際に、その天井パネルの室内高さを低く変更する必要がある場合、吊りボルトの長さを長くする必要がある。
【０００３】
この吊りボルトの長さを長くするために、図４に示すように、新たな吊りボルト１０１を、既設の吊りボルト１０２に、点溶接１０３で接合することが、以前は行われていた。そのため、天井パネル１０５を有する既存の建物において、２本の吊りボルト１０１，１０２が、点溶接１０３により接合されたものが多数存在する。
【発明の概要】
【発明が解決しようとする課題】
【０００４】
上記のように、点溶接１０３で２本の吊りボルト１０１，１０２を接合したものにおいて、地震等が起きた際に、その点溶接１０３の接合部分を中心として、古い吊りボルト１０２と継ぎ足した吊りボルト１０１とが相互にねじれ、点溶接１０３部分が破断し、天井パネル１０５が落下する恐れがある。
【０００５】
このような、点溶接１０３で２本の吊りボルト１０１，１０２を接合したものを、交換したり、吊りボルト１０１，１０２が相互にねじれないように溶接にて補強したりすることは手間と時間がかかる。
【０００６】
そこで、本発明は、点溶接により接合された既設の吊りボルトの耐震性を、容易に高めることができる吊りボルトの補強方法及び吊りボルトの補強構造を提供することを目的とするものである。
【課題を解決するための手段】
【０００７】
前記の課題を解決するために、請求項１記載の発明は、天井パネルを支持する吊りボルトは、第１軸部材と第２軸部材の２本で構成され、この第１軸部材と第２軸部材は、軸方向において一部が重なるとともに、点溶接により接合された既設の吊りボルトであって、
前記第１軸部材と第２軸部材の重なり部で、かつ、吊りボルトの軸方向における点溶接部の両側部において、夫々、連結部材を取付けて、第１軸部材と第２軸部材を連結し、
前記点溶接部を中心として、前記第１軸部材と第２軸部材が、相互にねじれることを抑制するようにしたことを特徴とする吊りボルトの補強方法である。
【０００８】
請求項２記載の発明は、請求項１記載の発明において、前記連結部材は、ワイヤークリップであることを特徴とするものである。
【０００９】
請求項３記載の発明は、天井パネルを支持する吊りボルトは、第１軸部材と第２軸部材の２本で構成され、この第１軸部材と第２軸部材は、軸方向において一部が重なるとともに、点溶接により接合された既設の吊りボルトであって、
前記第１軸部材と第２軸部材の重なり部で、かつ、吊りボルトの軸方向における点溶接部の両側部において、夫々、第１軸部材と第２軸部材を連結部材により連結し、
前記点溶接部を中心として、前記第１軸部材と第２軸部材が、相互にねじれることを抑制するようにしたことを特徴とする吊りボルトの補強構造である。
【発明の効果】
【００１０】
本発明は、第１軸部材と第２軸部材の重なり部で、かつ、吊りボルトの軸方向における点溶接部の両側部を、夫々、連結部材で連結させ、点溶接部を中心として、第１軸部材と第２軸部材が、相互にねじれることを抑制するようにしたことにより、地震等が起きた際に、点溶接部分を中心として、第１軸部材と第２軸部材が、相互にねじれることが抑制され、点溶接が破断することを防止し、天井パネルが落下することを防止できる。
【００１１】
このように、連結部材を取付けるのみでよいために、容易に耐震性を向上させることができる。
【図面の簡単な説明】
【００１２】
【図１】本発明の実施例に係る吊りボルトの補強構造を示す側面図。
【図２】図１のＡ−Ａ線断面図。
【図３】本発明の実施例に用いるワイヤークリップの分解斜視図。
【図４】従来の吊りボルトを示す斜視図。
【発明を実施するための形態】
【００１３】
本発明を実施するための形態を図に基づいて説明する。
【００１４】
図１は、本発明の実施例１に係る吊りボルト１の補強構造２０を示す側面図である。
【００１５】
先ず、既存の吊りボルト１について説明する。  
【００１６】
吊りボルト１は、棒状の第１軸部材２と、棒状の第２軸部材３で構成され、第１軸部材２と第２軸部材３は、相互に軸方向において一部が重なる重なり部４を有するようにして配置され、第１軸部材２と第２軸部材３は、その重なり部４における中間部において点溶接５により相互に接合されている。
【００１７】
吊りボルト１は、軸方向の一端部が、コンクリート部材、鉄骨や木材で構成された梁等の建物の構造材７に接合され、他端部には、接続金具８が接続され、接続金具８に天井パネル９が取り付けられ、吊りボルト１は、建物の構造材７から垂下されるとともに、天井パネル９を支持するようになっている。
【００１８】
このように、点溶接５により接合された既設の吊りボルト１の補強方法について説明する。
【００１９】
既設の吊りボルト１における第１軸部材２と第２軸部材３の重なり部４において、その軸方向における点溶接５の両側部に、夫々、第１軸部材２及び第２軸部材３に亘って、連結部材１０，１０を取付けて、第１軸部材２及び第２軸部材３を、連結部材１０を介して連結させ、点溶接５を中心として、第１軸部材２と第２軸部材３が相互にねじれることを抑制する。
【００２０】
この連結部材１０は、第１軸部材２と第２軸部材３が相互にねじれることを抑制できるとともに、第１軸部材２と第２軸部材３が相互にねじれる方向に力が作用した際に、破断しにくい構造のものであれば任意のものを用いることができ、例えば、後述するワイヤークリップ、ゴムホースなどを接続金具などに接続した際に、ゴムホースの外側から取り付けて相互が外れることを防止するのに用いられるホースバンド、樹脂製で縮径のみ可能な結束バンドなどを用いることができる。ホースバンドとしては、金属製のバンドをネジを締めることにより、バンドの内径を縮径できるものを用いることが好ましい。
【００２１】
本実施例では、連結部材１０として、図２，図３に示すようなワイヤークリップ１１を用いた。このワイヤークリップ１１は、両端部１２ａ，１２ａに雄ねじが刻設されたＵ字状の第１部材１２と、第１部材１２の両端部１２ａ，１２ａが挿通できる孔１３ａ，１３ａを有する第２部材１３を備え、第１部材１２の両端部１２ａ，１２ａを第２部材１３の孔１３ａ，１３ａに挿通し、第１部材１２の両端部１２ａ，１２ａに刻設された雄ねじにナット１５を螺合し、ナット１５を締め付けることにより、第１部材１２と第２部材１３間で形成される取付け穴１６の内径を狭くすることができるようになっている。
そして、図３に示すように、第１軸部材２と第２軸部材３の重なり部４において、第１部材１２を、重なり方向の一方の側から嵌合し、第２部材１３を他方の側から嵌合して、
取付け穴１６内に、第１軸部材２と第２軸部材３が位置するように配置した後に、ナット１５を締め上げることで、両軸部材２，３を、相互に連結することができる。
【００２２】
第１軸部材２、第２軸部材３、点溶接５、連結部材１０により吊りボルトの補強構造２０を構成する。
【００２３】
上記のように、２つの連結部材１０，１０を、吊りボルト１の重なり部４において、その軸方向における点溶接５の両側部に取付けることで、点溶接５を中心として、第１軸部材２と第２軸部材３が相互にねじれることを抑制し、地震等により、揺れが生じた際にも、第１軸部材２と第２軸部材３が相互にねじれることが抑制され、上記従来技術のように、点溶接５が破断する恐れが低減し、天井パネル９が落下することを抑制できる。
【符号の説明】
【００２４】
１  吊りボルト
２  第１軸部材
３  第２軸部材
４  重なり部
５  点溶接
９  天井パネル
１０  連結部材
１１  ワイヤークリップ
２０  吊りボルトの補強構造
【図１】
2019027205.tif 000003
【図２】
2019027205.tif 000004
【図３】
2019027205.tif 000005
【図４】
2019027205.tif 000006